(57)【要約】【課題】鏡と基体との間に大きな収納用空間を形成し、さらにその大きな収納用空間を有効利用するミラーキャビネットを提供。【解決手段】ミラーキャビネット２０の基体２１を金属製として剛性・強度を向上させる。これにより、照明受け桟４２および鏡受け桟４３は、三面鏡４１を、前面が実質的に平面の基体２１により、前方に突出した位置で安定的に支持可能であり、三面鏡４１と基体との間に大きな収納用空間５１が形成される。収納用空間５１には、基体２１に着脱可能な収納用トレイ２８、中央トレイ４７を取り付けて小物類を収納するとともに、収納用トレイ２８等を外した場合には収納用空間５１全体を利用して、大きな物体を収納することも可能である。【選択図】図２
2008136507.tif 000002
【特許請求の範囲】
【請求項１】
水栓および洗面ボールを備えた洗面カウンターと共に設置されるミラーキャビネットであって、
金属製で前面が実質的に平面の基体と、
前記基体の前方に取り付けられる鏡と、
前記鏡の上部を支持する上桟と、
前記鏡の下部を支持する下桟とを備え、
前記上桟および下桟は前記鏡を前記基体に対して前方に突出した位置で支持しており、前記鏡と前記基体との間に収納用空間が形成されていることを特徴とするミラーキャビネット。
【請求項２】
前記収納用空間には、前記基体に着脱可能に支持される収納用トレイをさらに備えることを特徴とする請求項１記載のミラーキャビネット。
【請求項３】
前記収納用空間の側面において前記上桟および下桟に嵌合し、前記基体に締結されることにより、前記収納用空間の側面を封止する本体サイドカバーをさらに備えることを特徴とする、請求項１記載のミラーキャビネット。
【請求項４】
前記鏡は、前記上桟および下桟にヒンジを介して回動可能に取り付けられることを特徴とする請求項１記載のミラーキャビネット。
【請求項５】
前記基体の後方に空間を形成するスペーサーをさらに備え、
前記基体は、両側辺を後方に向かって２度屈曲させたリップ溝形とすることにより、該基体の屈曲部が前記スペーサーの一部を構成することを特徴とする請求項１記載のミラーキャビネット。
【請求項６】
前記基体は、ステンレス鋼にて形成されていることを特徴とする請求項１記載のミラーキャビネット。
【発明の詳細な説明】
【技術分野】
【０００１】
本発明は、洗面カウンターと共に設置されるミラーキャビネットに関するものである。
【背景技術】
【０００２】
従来から、浴室に隣接して設けられる脱衣所などには、洗面化粧台が設置されている。洗面化粧台は、大別すれば洗面カウンターとミラーキャビネットとから構成される。洗面カウンターは、基本要素として湯水を供給する水栓と、排水口を備えた洗面ボールとを備えている。設置される際、水栓には給水管が接続され、排水口には排水管が接続される。また洗面カウンターの下部には、引き出しや開き戸などの収納部が設けられる場合が多い。洗面カウンターの正面には、事実上の必需品として鏡が配置されている。鏡は建物の屋内の壁面に直接取り付けられている場合もあるが、照明や収納等を備えた基体に取り付けられている場合が多い。本件出願では、鏡と基体とを含んだユニットをミラーキャビネットと称し、ミラーキャビネットと洗面カウンターとを含んだユニットを洗面化粧台と称することとする。
【０００３】
ミラーキャビネットの基体は、根本的には鏡の支持体である。しかし基体には、蛍光灯などの照明器具、これを操作するためのスイッチ、ドライヤーなどに電力供給するためのコンセントなどを設けている。また石けんや歯ブラシ、化粧品などを載置するための棚や収納部も設けられる。これらのことから、基体はある程度複雑な凹凸形状をなしている。従来の基体は主として合成樹脂材料からなり、特許文献１（特開平０５−１６１５５７）に記載されているように、真空成型にて製造されている場合が多い。
【０００４】
そして、合成樹脂材料を用いた基体と鏡との間に収納用空間を設ける場合には、基体に、補強材としての機能を有するリブなどの部材を縦横に差し渡すことによって、前方に突出させた鏡を支持していた。かかるリブがなければ、合成樹脂製の基体の剛性不足や強度不足により、前方に突出させた鏡を支持することができないからである。そして、このリブ材が物品を載置するための棚の役目も果たしていた。
【特許文献１】特開平０５−１６１５５７号公報
【発明の開示】
【発明が解決しようとする課題】
【０００５】
しかし、従来の合成樹脂製の基体を用いる場合、かかるリブで仕切られた収納用空間しか提供することができず、収納用空間の自由な利用を妨げることとなっていた。
【０００６】
その他、合成樹脂材料を用いた基体は、軽量であること、及び比較的安価であるという利点はある。しかし樹脂材料は、経年劣化により変色が生じやすい。特に化粧品や整髪料などの化学薬品が浸食して部分的な変色を生じる場合があり、耐薬品性にも問題がある。また汚れが付着した場合に、樹脂材料は表面に微細な凹凸があるため拭き取りにくく、場合によっては変色してしまうおそれもある。さらに真空成型をするために肉薄になりがちであり、強度を向上させることが難しい。そのため収納部を形成するために棚などを取り付けることができず、立体的な構造物とする必要があり、視覚的に大仰感が増している。  そこで本発明は、上記の課題のうち、とりわけ基体の剛性不足や強度不足を解消し、リブなどのない平面的な形状の基体によって、鏡を前方に突出した位置で安定的に支持することにより、ミラーキャビネットの鏡と基体との間に大きな収納用空間を作り出し、さらに、着脱可能な収納トレイを用いることによって、作り出した収納用空間を有効に利用できるミラーキャビネットを提供することを目的としている。
【課題を解決するための手段】
【０００７】
上記課題を解決するために、本発明にかかるミラーキャビネットの代表的な構成は、水栓および洗面ボールを備えた洗面カウンターと共に設置されるミラーキャビネットであって、金属製で前面が実質的に平面の基体と、基体の前方に取り付けられる鏡と、基体の上面を封止する上キャップと、鏡の上部を支持する上桟と、鏡の下部を支持する下桟とを備え、上キャップと上桟とは一体に形成され、上桟および下桟は鏡を基体に対して前方に突出した位置で支持しており、鏡と基体との間に収納用空間が形成されていることを特徴とする。
【０００８】
上記のように、基体を金属にて形成したことにより、合成樹脂の場合に比して、基体の剛性・強度が著しく向上する。このように剛性・強度が向上するため、前面が実質的に平面という簡易な形状の基体を用いているにも拘らず、鏡を基体に対して前方に突出させた位置で支持することも安定的に可能となり、鏡と基体との間に、リブなどの部材で仕切られることのない、大きな収納用空間を形成することが可能となっている。
【０００９】
また、副次的な効果として、耐薬品性、および清掃性を向上し、また金属の素材感に基づく剛性感および硬質感から高級感を得ることができる。また、上キャップと上桟とを一体に形成したことにより、部材の共有化を図って部品点数を削減すると共に、鏡の重量によって桟に生じる回転モーメントを、上キャップ部分で効率的に支持することができる。
【００１０】
また収納用トレイは、基体から着脱可能とするとよい。これにより、収納用トレイを外せば収納用空間全体を利用して、大きな物体を収納することも可能である。
【００１１】
収納用空間の側面には、上桟および下桟に嵌合し、基体に締結されることにより、収納用空間の側面を封止する本体サイドカバーをさらに備えてよい。このように、上桟および下桟の左右から本体サイドカバーを嵌合し、かつ本体サイドカバーを基体に締結固定することによって、鏡を蓋体とする箱形構造の収納部が構成される。これにより、鏡の荷重に対してもゆがみや傾きの生じない頑強な構造体となる。
【００１２】
上桟は、下桟よりも基体に対する当接面の高さ方向の幅を広くしてもよい。これにより、上桟が鏡の重量に負けて倒れることを防止し、ひいては上桟、下桟および鏡からなる構造体の剛性を確保することができる。
【００１３】
鏡は、上桟および下桟にヒンジを介して回動可能に取り付けられていてもよい。これにより鏡を蓋体とする収納部を構成することができる。また鏡が三面鏡である場合には両側の２面をヒンジを介して回動可能とするが、さらに中央の面もヒンジを介して回動可能に取り付けることが好ましい。
【００１４】
基体の後方には空間を形成するスペーサーをさらに備え、基体は、両側辺を後方に向かって２度屈曲させたリップ溝形とすることにより、基体の屈曲部がスペーサーの一部を構成してもよい。これにより、基体の背面側に配線のための空間を設けつつ、基体側面にも金属を露出させることができる。また基体のたわみに対する剛性が向上するため、板材を用いても鏡などの支持物に対して十分な剛性を得ることができる。またスペーサーの部材が削減できるため、部材数の削減を図ることができる。
【００１５】
基体は、ステンレス鋼にて形成されていてもよい。これにより、特に耐薬品性、耐候性を向上させることができる。また素材感に基づく剛性感および硬質感においても、他の金属素材よりも程度の高い高級感を使用者に与えることができる。
【００１６】
本発明にかかるミラーキャビネットを適用可能な洗面化粧台の代表的な構成は、上記ミラーキャビネットと、湯水を供給する水栓と、排水口を備えた洗面ボールとを備えた洗面カウンターと、を備えたことを特徴とする。上記の如くミラーキャビネットの基体を金属にて形成することにより、強度、耐薬品性および清掃性を向上し、また金属の素材感に基づく剛性感および硬質感から高級感を得ることのできる洗面化粧台とすることができる。また、上述したミラーキャビネットの技術的思想に基づく構成要素やその説明は、当該洗面化粧台にも適用可能である。
【発明の効果】
【００１７】
本発明によれば、合成樹脂の場合に比較して、基体の剛性および強度が向上するため、リブなどの補強材を有しない、前面が実質的に平面の簡易な形状を有する基体によって、ミラーキャビネットの鏡と基体との間に大きな収納用空間を形成できる。
【００１８】
また収納用空間において、基体に、収納用トレイを支持させることができ、収納用トレイを着脱可能な構成とすることにより、収納用空間から外せば、大きな収納用空間全体を利用して、大きな物体を収納可能である。それとともに、基体が平面形状であるため、基体の清掃性が良好である。
【００１９】
さらに副次的な効果として、基体の耐薬品性および清掃性を向上し、また金属の素材感に基づく剛性感および硬質感から高級感を得ることができ、さらに、鏡を支持する桟と他の部材との共有化を図ることにより、部材数の削減と剛性の確保を両立することができる。
【発明を実施するための最良の形態】
【００２０】
［第１実施形態］
本発明にかかるミラーキャビネットの第１実施形態について説明する。本実施形態においてミラーキャビネットは、三面鏡の構成である。図１は第１実施形態にかかる洗面化粧台の分解斜視図、図２は第１実施形態にかかる洗面化粧台の外観斜視図、図３は第１実施形態にかかるミラーキャビネットを背面から見た分解斜視図、図４は照明受け桟の構成を説明する図、図５は鏡受け桟および桟固定具の構成を説明する図、図６は本体サイドカバーの構成を説明する図、図７は中央トレイの構成を説明する図、図８は収納トレイのサイドキャップの構成を説明する図、図９は収納トレイの構成を説明する図、図１０は中央トレイ、収納トレイ用のフックの構成を説明する図、図１１は同フック用のフックキャップの構成を説明する図である。なお、以下の実施例に示す寸法、材料、その他具体的な数値などは、発明の理解を容易とするための例示に過ぎず、特に断る場合を除き、本発明を限定するものではない。
【００２１】
図１および図２に示すように、洗面化粧台１は、洗面カウンター１０と、ミラーキャビネット４０とから構成されている。洗面カウンター１０は、湯水を供給する水栓１１と、排水口１２ａを備えた洗面ボール１２とを備えている。また洗面ボールの下方には収納棚１３が設けられている。
【００２２】
ミラーキャビネット４０は、金属製の基体２１と、基体２１の前方に取り付けられた三面鏡４１とを備えている。基体２１は、両側辺を後方に向かって２度屈曲させたリップ溝形（Ｃ形もしくはＣチャン形状ともいう）に形成されている。基体２１の背面、すなわちリップ溝形の内部には、裏補強板３０が配置されている（図３参照）。
【００２３】
基体２１には三面鏡４１の重量を支持するために縦方向にたわむ荷重がかかるが、上記のようにリップ溝形とすることにより、板材であっても十分な剛性（たわみにくい性質）を得ることができる。従って板材を曲げるだけといった単純な加工によって剛性の高い基体２１を形成することができ、かつ、製造工程の単純化および短縮化を図ることが可能となるので、生産性を向上させることができる。
【００２４】
基体２１の材質としてはステンレス鋼、アルミニウム、鉄鋼などを選択することができる。鉄鋼材料の場合は、防錆のために、また手垢などの汚れの付着を防止するために、塗装またはめっき処理などの表面処理をすることが好ましい。このように金属材料を用いたことにより、金属の素材感に基づく剛性感および硬質感から美観を向上し、高級感を得ることができる。
【００２５】
また金属材料は樹脂材料に比して強度（破壊強度）が大きいため、立体的な構造をとらずとも後述する三面鏡４１や収納トレイ２８などの支持物を支持することができる。このことは基体２１を単純なフラット形状にできることに寄与しており、視覚的な大仰感を低減し、美観を向上させると共に、清掃性を向上させることができる。
【００２６】
基体２１の材質としては、上記の中でも特にステンレス鋼を選択することが好ましい。これにより、特に耐薬品性、耐候性、剛性および強度を向上させることができる。またステンレス鋼は組織が緻密であることから研磨することにより美観に優れている。さらに社会通念上、使用者はステンレス鋼に対して剛性感および硬質感、耐久性などに優れていると感じることが期待できるため、他の金属素材よりも程度の高い高級感を使用者に与えることができる。
【００２７】
図３に示すように、基体２１の背面には裏補強板３０が配置されている。裏補強板３０は、基体２１の背面のほぼ全面を覆う面積を備えた板部３１と、板部３１に取り付けられた複数のブロック３３とから構成されている。ブロック３３は、主に基体２１の前面に取り付けられる各種付属品を締結固定する際のネジ受けとして設けられている。付属品としては、三面鏡４１を支持する照明受け桟４２（上桟）および鏡受け桟４３（下桟）、トレイフック２９などが、基体２１を介して裏補強板３０に取り付けられる。
【００２８】
ここで、基体２１の両側辺に形成された屈曲部分と、上端ブロック３２ａおよび下端ブロック３２ｂによって、基体の後方に空間を形成するスペーサーが構成される。この基体２１の後方、すなわちリップ溝形の内部に形成された空間には、照明ユニット２５、ヒーターユニット、およびスイッチ３４などに電気的に接続するための配線が設けられる。すなわち基体２１の形状がリップ溝形であることは、剛性の向上のみでなく、基体２１の背面側に配線のための空間を設ける役割をも有している。さらに、そのような空間を設けつつ、基体側面にも金属面を露出させることができる効果を有している。
【００２９】
基体２１の下端には、本体下キャップ２４が取り付けられている。本体下キャップ２４は、裏補強板３０の下端ブロック３２ｂに締結固定され、基体２１の下面を覆う蓋部２４ａと、前方に突出して棚を構成する棚部２４ｂとからなり、棚兼用端部部材を構成している。また基体２１の下部には、照明ユニット２５やヒーターユニットを操作するためのスイッチ３４が設けられている。
【００３０】
基体２１の上端には、本体上キャップを兼ねた照明受け桟４２が取り付けられる。図４に照明受け桟４２の構成を示す。照明受け桟４２は、基体２１の上面に配置される上キャップ部分４２ａと、基体２１の前面に配置される照明受け部４２ｂおよびヒンジ支持部４２ｃとから構成される。
【００３１】
照明受け桟４２の上面の上キャップ部分４２ａは、基体２１の上面を覆った状態で、複数のネジ穴４８ａを介して上方から裏補強板３０の上端ブロック３２ａに締結固定される。また照明受け部４２ｂは、複数のネジ穴４８ｂを介して前面から裏補強板３０の裏側に配置されたブロック３２に締結固定される。
【００３２】
また基体２１の三面鏡４１の下端に対応する位置には、鏡受け桟４３が取り付けられる。図５に鏡受け桟４３および桟固定具４９の構成を示す。桟固定具４９は図５（ｂ）に示すように、その上下に基体２１より離隔した位置に幅広部４９ａを備え、基体２１に沿って溝部４９ｂを形成している。一方鏡受け桟４３は図５（ａ）に示すように、前方側にヒンジ支持部４３ａを形成し、後方側に溝部４９ｂに嵌合する断面Ｃ字形の嵌合部３４ｂを形成している。従って鏡受け桟４３は図１に示したように、まず基体２１に桟固定具４９を固定し、これに摺動嵌合させることによって取り付けられる。
【００３３】
照明受け桟４２および鏡受け桟４３の前面には複数のヒンジ４４が設けられており、これに三面鏡４１の各鏡を取り付けることにより、鏡は回動可能に取り付けられる。三面鏡４１の両側の袖鏡４１ｂ、４１ｃは中央の主鏡４１ａ側の端部においてヒンジ４４に接続される。さらに主鏡４１ａもヒンジ４４に接続されており、基体２１に対して回動可能に構成されている。
【００３４】
基体２１を金属にて形成したことにより、合成樹脂の場合に比して、基体２１の剛性・強度が著しく向上する。このように剛性・強度が向上するため、以下の構成が安定的に実現される。すなわち、照明受け桟４２および鏡受け桟４３は、リブなどの補強材を有しない、前面が実質的に平面の簡易な形状を有する基体２１を用いるにも拘らず、この基体２１によって前方に突出するように安定的に設けられており、これにより三面鏡４１と基体２１との間に大きな収納用空間５１が形成されている。この収納用空間５１の側面には本体サイドカバー４５が取り付けられる。
【００３５】
本発明によって得られる大きな収納用空間５１は、典型的には、直方体である。この直方体の空間には、合成樹脂製の基体を用いていた場合にはリブなどの補強材が存在していたところ、金属製の基体２１を用いるために、かかる補強材などの仕切りに相当するものがない。したがって、直方体の収納用空間５１は、何の制限もなく、全体を自由に利用可能である。
【００３６】
図６に本体サイドカバー４５の構成を示す。本体サイドカバー４５は収納用空間の側面を封止する壁面４５ａと、照明受け桟４２と嵌合する上部嵌合部４５ｂ、鏡受け桟４３と嵌合する下部嵌合部４５ｃ、基体２１に締結される複数の締結部４５ｄとから構成される。左右の本体サイドカバー４５は、鏡像体構造の関係にある。すなわち、照明受け桟４２および鏡受け桟４３の左右から本体サイドカバー４５を嵌合し、かつ本体サイドカバー４５を基体２１に締結固定することによって、三面鏡４１を蓋体とする箱形構造の収納部が構成される。これにより、三面鏡４１の荷重に対してもゆがみや傾きの生じない頑強な構造体となる。
【００３７】
三面鏡４１と基体２１の間の収納用空間５１には、複数の収納トレイ２８が取り付けられる。収納トレイ２８は、基体２１の表面に取り付けられたトレイフック２９に対して嵌合することにより、着脱可能となっている。トレイフック２９は前方側が幅広に形成された幅広部２９ｂとなっており、その後方の側面に上下方向の溝２９ｃを形成して幅を狭くしている。また複数の収納トレイ２８の中央にはサイズの大きな中央トレイ４７が取り付けられており、大きめの物も収納可能に構成されている。
【００３８】
図７は中央トレイ４７の構成を説明する四面図である。中央トレイ４７は押し出し成形によって作られ、材質はポリスチレン（PolyStyrene）としてよい。また、金属性としてもよく、例えば基体２１と同様にステンレスにしてもよいし、アルミニウムにしてもよい。中央トレイ４７は側面から見て略Ｌ字型の部材を含み、これは、基体２１と平行な背面部４７ａと、収納される物を下から支持する底部４７ｂと、背面部４７ａから延伸して基体２１に当接する当接部４７ｃとで構成される。
【００３９】
中央トレイ４７は、また、図８に示すサイドキャップ４７ｅを含み、これは、上記の略Ｌ字型の部材の両側方向から被せられる部材である。サイドキャップ４７ｅは略Ｌ字型の溝部４７ｆを有していて、これは、上記の略Ｌ字型の部材の形状に適合している。左右のサイドキャップ４７ｅは鏡像体構造の関係にある。丸形溝４７ｇの部分には、物品の落下を防止するバー（図示せず）を左右のサイドキャップ４７ｅに差し渡してもよい。図中、斜線で示すように、サイドキャップ４７ｅにはシボ加工を施してよい。
【００４０】
図９は収納トレイ２８の構成を説明する図であり、四面図と２つの断面図（Ｃ−Ｃ断面図およびＤ−Ｄ断面図）とで収納トレイ２８の構成を示す。収納トレイ２８は、前面部４７ａと、収納される物を下から支持する底部２８ｂと、基体２１に平行でこれに当接する当接部２８ｃと、側面部２８ｅとで構成される。前面が開いている中央トレイ４７とは異なり、収納トレイ２８には、上記のように、前面にも前面部２８ａが設けられている。
【００４１】
収納トレイ２８の材質はポリスチレンとしてよい。また、図９の斜線部に示すように収納トレイ２８にはシボ加工を施してよい。
【００４２】
図７および図９に示すように、中央トレイ４７、収納トレイ２８の当接部４７ｃ、２８ｃにはそれぞれ２箇所の切欠部４７ｄと掛止部２８ｄとが設けられていて、これら切欠部４７ｄ、掛止部２８ｄが収納トレイ用のフック２９と嵌合することによって、中央トレイ４７、収納トレイ２８は基体２１に支持され、収納用空間に着脱可能に取り付けられる。
【００４３】
図１０は収納トレイ用フック２９の構成を説明する図であり三面図と２つの断面図（Ｅ−Ｅ断面図およびＦ−Ｆ断面図）とで収納トレイ用フック２９の構成を示す。収納トレイ用フック２９は、射出成形によって作られ、材質は耐衝撃性ポリスチレンとしてよい。収納トレイ用フック２９はビット部２９ａを含み、これは、ネジ穴２９ｄを有していて、基体２１にネジ止めされる。またビット部２９ａは基体２１に対して突出している突出部２９ｅを有し、これは、基体２１に掘削された穴に嵌ることによって、ビット部が回転するのを防止する。
【００４４】
さらに収納トレイ用フック２９は、図１１に示すフックキャップ２９ｆを含む。図１１はフックキャップ２９ｆを三面図と２つの断面図（Ｇ−Ｇ断面図およびＨ−Ｈ断面図）とで示し、これは、フック２９の上から被せられることによって、ネジ穴２９ｄを隠蔽する。
【００４５】
照明受け桟４２の前面には照明ユニット２５が取り付けられ、また照明ユニット２５を覆うように照明カバー４６が着脱可能に取り付けられている。これにより鏡を支持するための桟と、照明器具を支持するための支持体の機能の共有化を図ることができ、部材の共有化を図って部品点数を削減することができる。また金属製の照明器具が基体に直接取り付けられることを防止することにより、異種金属の接合による電蝕を防止することができる。
【００４６】
図２に示すように洗面化粧台１を組み立てた状態においては、基体２１の側面は常に露出しており、また三面鏡４１を開いた際には必ず大きく基体２１の表面が視認される。このとき鏡のガラスの質感と、基体２１の金属の素材感に基づく剛性感および硬質感から、美観の統一感が感じられるため、高級感を得ることができる。
【００４７】
上記説明した如く、本実施形態にかかるミラーキャビネットにおいては、基体２１を金属、とりわけステンレス鋼にて形成したことにより、合成樹脂の場合に比して、基体２１の剛性・強度が著しく向上する。このように剛性・強度が向上するため、前面が実質的に平面の簡易な形状を有する基体２１によって、三面鏡４１を前方に突出させた位置で安定的に支持することが可能となっている。その結果、三面鏡４１と基体２１との間には、リブなどの補強材で仕切られていない、実質的に直方体の大きな収納用空間５１を形成することが可能となっている。
【００４８】
また、基体２１をリップ溝形としたことも、板材でありながら十分な剛性および強度を得ることができることに寄与している。
【００４９】
さらに、着脱可能な収納用トレイ２８、中央トレイ４７を収納用空間５１から外せば、収納用空間５１全体を利用して、より大きな物体を収納可能である。
【００５０】
副次的な効果としては、基体２１の強度、耐薬品性および清掃性を向上し、また金属の素材感に基づく剛性感および硬質感から高級感を得ることができる。また、背面側に配線のための空間を設けつつ、基体側面にも金属面を露出させることができる。
【００５１】
また上記説明した如く、照明受け桟４２において基体２１の上キャップと三面鏡４１を支持する上桟とを一体に形成したことにより、部材の共有化を図って部品点数を削減することができる。
【００５２】
また上記構成において、鏡受け桟４３は桟固定具４９に嵌合させるのみの構成であるから、上下方向の回転モーメントに対する剛性は弱くなっている。しかし照明受け桟４２の基体２１に対する当接面４２ｄの高さ方向の幅は、鏡受け桟４３のそれよりも広くなっている。従って照明受け桟４２は回転モーメントに対する大きな剛性を備え、三面鏡４１の荷重を支持することができる。さらに、照明受け桟４２は基体２１の上キャップと三面鏡４１を支持する上桟とを一体に形成しているため、鏡の重量によって桟に生じる回転モーメントを、回転モーメントに直交する方向にネジ止めされた上キャップ部分４２ａによって、効率的に支持することができる。
【００５３】
［第２実施形態］
本発明にかかるミラーキャビネットの第２実施形態について説明する。本実施形態においてミラーキャビネット２０および洗面化粧台２は、一面鏡の構成である。図１２は第２実施形態にかかる洗面化粧台の外観斜視図であって、上記第１実施形態と説明の重複する部分については、同一の符号を付して説明を省略する。
【００５４】
本実施形態において照明受け桟４２および鏡受け桟４３の前面には、一面鏡の鏡２２がヒンジ４４を介して回動可能に取り付けられている。鏡２２の背面には、曇り止めのための不図示のヒーターユニットが配置されている。照明受け桟４２および鏡受け桟４３の側面には本体サイドカバー４５が取り付けられており、鏡２２と基体２１との間には収納用空間５３が形成されている。
【００５５】
収納用空間５３には、中央トレイ４７が取り付けられていて、取り付けの方法および着脱可能である点は、第１実施形態と同様である。
【００５６】
基体２１の前面であって鏡２２の両脇には、複数の収納トレイ２８が取り付けられる。収納トレイ２８は、基体２１の表面に取り付けられたトレイフック２９に対して嵌合することにより、着脱可能となっている。一方、収納トレイ２８の取付部には溝と摺動嵌合するリブが形成されている。また鏡２２の脇には、照明ユニット２５やヒーターユニットを操作するためのスイッチ３４が設けられている。
【００５７】
本実施形態においても、基体２１を金属製としたことにより、基体２１の剛性および強度が向上し、前面が実質的に平面の基体２１を用いることにより、大きな収納用空間５３の形成が可能となっている。また、上記第１実施形態と同様に、着脱可能な中央トレイ４７を収納用空間５３において基体２１に取り付けることにより、小物の収納だけでなく、大きな収納用空間５３の全体を利用した、大きな物品の収納をも可能としている。また基体２１の生産性の向上、金属材料を用いたことによる強度向上、形状の単純化、清掃性の向上、さらにステンレス鋼を用いた場合の耐薬品性、耐候性、さらなる美観と強度の向上についても、上記第１実施形態と同様である。
【００５８】
また、照明受け桟４２において基体２１の上キャップと三面鏡４１を支持する上桟とを一体に形成したことにより、部材の共有化を図って部品点数を削減し、鏡２２の荷重による回転モーメントに対する剛性を確保できる点においても、上記第1実施形態と同様である。
【００５９】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６０】
本発明は、洗面カウンターと共に設置されるミラーキャビネットとして利用することができる。
【図面の簡単な説明】
【００６１】
【図１】第１実施形態にかかる洗面化粧台の分解斜視図である。
【図２】第１実施形態にかかる洗面化粧台の外観斜視図である。
【図３】第１実施形態にかかるミラーキャビネットを背面から見た分解斜視図である。
【図４】第１実施形態にかかる照明受け桟の構成を説明する図である。
【図５】第１実施形態にかかる鏡受け桟および桟固定具の構成を説明する図である。
【図６】第１実施形態にかかる本体サイドカバーの構成を説明する図である。
【図７】第１実施形態にかかる中央トレイの構成を説明する図である。
【図８】第１実施形態にかかる中央トレイのサイドキャップの構成を説明する図である。
【図９】第１実施形態にかかる収納トレイの構成を説明する図である。
【図１０】第１実施形態にかかる収納トレイ・中央トレイ用フックの構成を説明する図である。
【図１１】第１実施形態にかかる収納トレイ・中央トレイ用フックのフックキャップの構成を説明する図である。
【図１２】第２実施形態にかかる洗面化粧台の外観斜視図である。
【符号の説明】
【００６２】
１、２…洗面化粧台、１０…洗面カウンター、１１…水栓、１２…洗面ボール、１２ａ…排水口、１３…収納棚、２０…ミラーキャビネット、２１…基体、２２…鏡、２４…本体下キャップ、２４ａ…蓋部、２４ｂ…棚部、２５…照明ユニット、２８…収納トレイ、２９…トレイフック、３０…裏補強板、３１…板部、３２ａ…上端ブロック、３２ｂ…下端ブロック、３３…ブロック、３４…スイッチ、３４ｂ…嵌合部、４０…ミラーキャビネット、４１…三面鏡、４１ａ…主鏡、４１ｂ、４１ｃ…袖鏡、４２…照明受け桟、４２ａ…上キャップ部分、４２ｂ…照明受け部、４２ｃ…ヒンジ支持部、４２ｄ…当接面、４３…鏡受け桟、４３ａ…ヒンジ支持部、４４…ヒンジ、４５…本体サイドカバー、４５ａ…壁面、４５ｂ…上部嵌合部、４５ｃ…下部嵌合部、４５ｄ…締結部、４６…照明カバー、４７…中央トレイ、４８ａ、４８ｂ…ネジ穴、４９…桟固定具、４９ａ…幅広部、４９ｂ…溝部、５１、５３…収納用空間
【図１】
2008136507.tif 000003
【図２】
2008136507.tif 000004
【図３】
2008136507.tif 000005
【図４】
2008136507.tif 000006
【図５】
2008136507.tif 000007
【図６】
2008136507.tif 000008
【図７】
2008136507.tif 000009
【図８】
2008136507.tif 000010
【図９】
2008136507.tif 000011
【図１０】
2008136507.tif 000012
【図１１】
2008136507.tif 000013
【図１２】
2008136507.tif 000014